(57)【要約】      （修正有）【課題】性交中のコンドーム脱落、使用時の不快感、製造販売プロセスの低経済性が損なわれることなどを回避したマッサージ装置を提供する。【解決手段】本体５０１中央には複数の柔軟突起５０２が設けられ、本体の中央孔に振動伝達ユニット６０が設けられ、本体一端からは締結帯５０３が延在し他端には締結ビーズ止め５０４が設けられ、締結帯の該端部にはビーズ止めの締結孔５０４ａに挿入されるコーン状締結ビーズ５０３ａが設けられ、振動伝達ユニット中の、板バネ一端はモーターの外面に接触し、他端はバッテリーに対設され、振動伝達ユニットの一端には回転ロッド挿通用の中央孔が形成され、締結帯の締付けによりマッサージ装置がペニスの根元に調節可能に束縛固定され、振動伝達ユニットに対して回転ロッドを出し・入れすることにより板バネをバッテリーと接触・離脱させて振動伝達ユニットを起動停止させる。【選択図】図２
0003108364.tif 000002
【実用新案登録請求の範囲】
【請求項１】
管状の本体と男性のペニスに束縛固定されるべき振動伝達ユニットとからなり、管状本体の中央には複数の柔軟な突起が設けられており、突起の両側にはマッサージ突起が設けられており、管状本体の中央孔には振動伝達ユニットが設けられており、管状本体の一端からは締結帯が延在しておりかつ他端には締結孔を具えた締結ビーズ止めが設けられており、締結帯の該ビーズ止めに近い端部には互いに離間して半球状の締結ビーズが取り付けられており、締結帯のこの側の端部にはビーズ止めの締結孔に挿入されるべきコーン状の締結ビーズが設けられており、振動伝達ユニット中には板バネが配置されており、該板バネの一端の曲帯部はモーターの外面に接触するとともに他端は可動帯部となってバッテリーに対設されており、振動伝達ユニットの一端には回転ロッド挿通のための中央孔が形成されており、回転ロッド上には異なる位置においてピンが設けられており、締結帯は締結ビーズ止めの締結孔に挿入され、該締結帯を締め付けることによりマッサージ装置がペニスの根元に調節可能に束縛固定され、振動伝達ユニットに対して回転ロッドを出し・入れすることにより板バネをバッテリーと接触・離脱させて振動伝達ユニットを起動停止させることを特徴とする調節可能なコンドーム用束縛固定マッサージ装置。
【考案の詳細な説明】
【技術分野】
【０００１】
この考案はコンドーム用束縛固定マッサージ装置に関するものであり、特に性交中における悦びを増加させるための男性のペニスの肉柱に締結する構造とその束縛固定を微妙に調節する締結帯体とに関するものである。
【背景技術】
【０００２】
両性の親密さを増加するには、性的な悦びは結婚生活において重要な行動である。つまり性的な悦びは単に子孫の繁殖のためのものではない。性交中の避妊は性交相手の生理周期への深い理解を必要とし、女性の生理機能の安全期間との関連を有するものである。
【０００３】
女性の安全期間のみが絶対に安全なものではなく、妊娠の機会がある。その理由は極度に複雑であり、そこで避妊のための手段が必要となる。例えば子宮内避妊具、輸卵管結索、ピル、コンドームなどがそれである。
【０００４】
それの内で使い易さと便利さの故に男性用のコンドームが最も使われかつ受け入れられている。その使用に際しては、性交中に勃起したペニスを包むもので、遮断型の避妊具である。しかし性交中の女性性器中における男性ペニスの反復運動により、コンドームが外れてしまい、不安定な進行に当惑することになる。
【０００５】
さらに性交中に、両性間ではオルガスムに大きな違いがある。文献「ＴＨＥ  ＫＩＮＳＥＹ  ＩＮＳＴＩＴＵＴＥ  ＮＥＷ  ＲＥＰＯＲＴ  ＯＮ  ＳＥＸ」によれば、いかなる方法によっても女性の約１０％はオルガスムを得ることができず、５０〜７５％がペニスの往復動に頼るだけではオルガスムを得ることができないとされている。したがって他のテクニックが必要であり、例えばクリトリスにマッサージによる刺激を与えてクライマックスにすることなどである。そこで医療分野においては性的なマッサージ人工装具を使って性感帯を刺激することを提唱している。
【０００６】
性的マッサージに関する製品は多岐に亘っており、一般的に分類すると、ロッド状マッサージ具、振動ボールマッサージ具またはマッサージ用のシリコンゴム締結リング１０などがある。
【０００７】
図１に示すような従来技術の性交中におけるマッサージ装置１０のための締結リングの使用はより広く行われている。何故ならそれは男性ペニスの根元に束縛固定され、性交中にマッサージ装置１０用の締結リングの上端にあるマッサージ部１００の突起１０１により女性のクリトリスを刺激するからである。加えてマッサージ部１００に取り付けた振動装置２０から伝達された高周波を使っている。
【０００８】
この突起１０１は比較的大きな硬い物体であるので、可撓性と柔軟性に難があり、この柔軟性に欠ける突起１０１による往復スラストでは女性のクリトリスは非常な不快を覚えるものである。
【０００９】
上記のマッサージ装置１０用の締結リングは女性のクリトリスをマッサージし刺激するものであるが、等径のリングであり、伸縮性はあるものの、全ての寸法のペニスに合うべく調整し束縛固定するのは難しい。そこで製造に際しては異なる寸法の多くの型を用いて、マッサージ装置１０用に異なる寸法の締結リングを作って、異なる寸法のペニスを有した使用者に適合する必要がある。末端販売においても大量の締結リングを扱って消費者の要望に応えなければならない。これが製造販売プロセスにおける経済性を損ねている。
【考案の開示】
【考案が解決しようとする課題】
【００１０】
上記したように従来技術のコンドーム用マッサージ装置にあっては、性交中にコンドームが脱落する、使用者の快感を損なう、多数の異なる寸法のものを製造しなければならない、その結果製造販売プロセスの経済性が損なわれるなどの問題が多々あった。
【００１１】
この考案の目的はこれらの欠点を回避したマッサージ装置を提供することにある。
【課題を解決するための手段】
【００１２】
このためこの考案のマッサージ装置は管状本体と男性のペニスに束縛固定される振動伝達ユニットとを有し、本体中央には複数の柔軟突起が設けられてその両側にはマッサージ突起が設けられ、本体の中央孔に振動伝達ユニットが設けられ、本体の一端からは締結帯が延在し他端には締結孔を具えた締結ビーズ止めが設けられ、締結帯の該ビーズ止めに近い端部には相互離間して半球状の締結ビーズが取り付けられ、締結帯のこの側の端部にはビーズ止めの締結孔に挿入されるコーン状締結ビーズが設けられ、振動伝達ユニット中には板バネが配置され、板バネの一端の曲帯部はモーターの外面に接触し、他端の可動帯部はバッテリーに対設され、振動伝達ユニットの一端には回転ロッド挿通用の中央孔が形成され、回転ロッド上には異なる位置でピンが設けられ、締結帯は締結ビーズ止めの締結孔に挿入され、締結帯の締付けによりマッサージ装置がペニスの根元に調節可能に束縛固定され、振動伝達ユニットに対して回転ロッドを出し・入れすることにより板バネをバッテリーと接触・離脱させて振動伝達ユニットを起動停止させることを要旨とする。
【考案を実施するための最良の形態】
【００１３】
図２に示すようにこの考案のマッサージ装置５０は柔軟・可撓性の材料からなり、管状本体５０１と振動伝達ユニット６０とを有しており、本体５０１の中央には数個の柔軟な突起５０２が設けられている。その突起の周囲および両側に複数の柔軟なマッサージ突起５０２は設けられている。また振動伝達ユニット６０は本体５０１の中央孔中に配置されており、さらに本体には締結帯５０３と締結ビーズ止め５０４とが設けられている。
【００１４】
締結ビーズ止め５０４は本体５０１の両端から延在しており、その中央には締結孔５０４ａが形成されている。締結帯５０３の一端側には半球形の締結ビーズ５０３ａが互いに離間して設けられており、しかも端部にはビーズ止め５０４の締結孔５０４ａに挿入されるコーン形状の締結ビーズ５０３ａが取りつけられている。
【００１５】
図３〜５に示すように、振動伝達ユニット６０は板バネ６１を有しており、その一端は曲帯部６２に形成されてモーター７０の外面に接触している。またその他端は可動帯部６３となって電池８０の後端に接触している。振動伝達ユニットの電池側の端部には中央孔６０ａが形成されており、回転ノブ６０１の回転ロッド６０１ａがこれを貫通している。回転ロッド６０１ａ上の異なる位置にはピン６０１ｂ、６０１ｃが設けられている。
【００１６】
図２、６、７に示すように、締結帯５０３の一端にある締結ビーズ５０３ａをビーズ止め５０４の締結孔５０４ａに挿入し、締結帯５０３をペニスに対して適当な強さになるように調節して締結ビーズがビーズ止めに対して滑らないようにするとともに、コンドームをペニスの根元に固定する。
【００１７】
図４、５Ａ、５Ｂに示すように、性交中には振動伝達ユニット６０のノブ６０１を回転させて、回転ロッド６０１ａを中央孔６０ａに完全に挿入して板バネ６１の帯部６３をバッテリー８０に接触させて、モーター７０を回転させて振動を発生させる。同時に本体５０１上のマッサージ突起５０２を駆動する。
【００１８】
ノブ６０１をさらに回転すると、ロッド６０１ａ上のピン６０１ｃがシェルの内壁に当たり、バッテリーが連続的回転・振動を起動する。また図３に示すように、ノブ６０１を回転することにより、マッサージ装置を停止させることもできる。回転ロッド６０１ａのピン６０１ｃが中央孔６０ａから後退して、他のピン６０１ｂがシェルの内壁に当たって、ノブ６０１のさらなる回転を防止する。板バネ６１の可動帯部６３がバッテリー８０から離間し、モーター７０が回転と振動とを停止する。
【図面の簡単な説明】
【００１９】
【図１Ａ】従来のマッサージ束縛リングを示す斜視図である。
【図１Ｂ】同じくそのペニスへの装着状態を示す側面図である。
【図２】この考案のマッサージ装置を分解状態で示す斜視図である。
【図３】該装置を非駆動状態で示す一部断面側面図である。
【図４】同じく該装置を駆動状態で示す一部断面側面図である。
【図５Ａ】振動伝達ユニットの一端の回転ノブと中央孔を示す側面図および斜視図である。
【図５Ｂ】振動伝達ユニットの一端の回転ノブと中央孔を示す側面図および斜視図である。
【図６】該装置をペニスへの他の装着状態で示す側面図である。
【図７】該装置をペニスへの他の装着状態で示す側面図である。
【符号の説明】
【００２０】
５０：マッサージ装置
６０：振動伝達ユニット
７０：モーター
８０：バッテリー
【図１Ａ】
0003108364.tif 000003
【図１Ｂ】
0003108364.tif 000004
【図２】
0003108364.tif 000005
【図３】
0003108364.tif 000006
【図４】
0003108364.tif 000007
【図５Ａ】
0003108364.tif 000008
【図５Ｂ】
0003108364.tif 000009
【図６】
0003108364.tif 000010
【図７】
0003108364.tif 000011